(57)【要約】【課題】本発明は、口腔内カメラに関するもので、撮像窓部分の温度上昇を抑制することを目的とするものである。【解決手段】そしてこの目的を達成するために本発明は、本体ケース１と、この本体ケース１の前方側に装着した口腔内挿入部３と、この口腔内挿入部３に設けた鏡筒４と、この鏡筒４内に設けた複数のレンズ群Ｇ１からＧ４と、前記鏡筒４の前方側開口４ａに、光学的に対応する前記口腔内挿入部３部分に設けた撮像窓３ａと、前記鏡筒４の後方側開口４ｂに光学的に連結した撮像装置１０とを備え、前記撮像窓３ａ部分に、照明素子９を配置するとともに、前記鏡筒４を金属により構成した。【選択図】図２
2011067605.tif 000002
【特許請求の範囲】
【請求項１】
本体ケースと、この本体ケースの前方側に装着した口腔内挿入部と、この口腔内挿入部に設けた鏡筒と、この鏡筒内に設けた複数のレンズと、前記鏡筒の前方側開口に、光学的に対応する前記口腔内挿入部部分に設けた撮像窓と、前記鏡筒の後方側開口に光学的に連結した撮像装置とを備え、
前記撮像窓部分に、照明素子を配置するとともに、前記鏡筒を金属により構成した口腔内カメラ。
【請求項２】
鏡筒は、前方側開口から後方側開口に向けて、その開口径が段階的に大きくなる構成とした請求項１に記載の口腔内カメラ。
【請求項３】
前後に配置されたレンズ間には、金属製のスペーサ筒を介在させた請求項１または２に記載の口腔内カメラ。
【請求項４】
スペーサ筒の内面には、黒色系被膜を設けた請求項３に記載の口腔内カメラ。
【請求項５】
前記照明素子と鏡筒とは、この鏡筒の先端に装着した熱伝導体を介して、熱伝導的に装着した請求項１から４のいずれか一つに記載の口腔内カメラ。
【発明の詳細な説明】
【技術分野】
【０００１】
本発明は、口腔内カメラに関するものである。
【背景技術】
【０００２】
従来の口腔内カメラの構成は、以下のような構成となっていた。
【０００３】
すなわち、本体ケースと、この本体ケースの前方側に装着した口腔内挿入部と、この口腔内挿入部に設けた鏡筒と、この鏡筒内に設けた複数のレンズと、前記鏡筒の前方側開口に、光学的に対応する前記口腔内挿入部部分に設けた撮像窓と、前記鏡筒の後方側開口に光学的に連結した撮像装置とを備え、前記本体ケース内に設けた照明素子の光は、光導路を介して鏡筒内を通過させ、撮像窓部分に供給する構成となっていた（例えば下記特許文献１）。
【先行技術文献】
【特許文献】
【０００４】
【特許文献１】特表２００４−５３２０８３号公報
【発明の概要】
【発明が解決しようとする課題】
【０００５】
上記従来例における課題は、撮像窓部分の温度上昇が大きくなるということであった。
【０００６】
すなわち、撮像窓部分には、強い光を供給しなければ適切な口腔内画像を得ることが出来ないので、この撮像窓部分には、前記照明素子から極めて強い光が供給されており、この強い光によって撮像窓部分の温度上昇が大きくなってしまうのであった。
【０００７】
撮像窓部分の温度上昇が大きくなることによる弊害の一つは、口腔内の撮像窓部分近傍に熱を与えることになり、この熱が不快感を与えることになってしまうことであった。
【０００８】
そこで本発明は、撮像窓部分の温度上昇を抑制することを目的とするものである。
【課題を解決するための手段】
【０００９】
そして、この目的を達成するために本発明は、本体ケースと、この本体ケースの前方側に装着した口腔内挿入部と、この口腔内挿入部に設けた鏡筒と、この鏡筒内に設けた複数のレンズと、前記鏡筒の前方側開口に、光学的に対応する前記口腔内挿入部部分に設けた撮像窓と、前記鏡筒の後方側開口に光学的に連結した撮像装置とを備え、前記撮像窓部分に、照明素子を配置するとともに、前記鏡筒を金属により構成とし、これにより所期の目的を達成するものである。
【発明の効果】
【００１０】
以上のように本発明は、本体ケースと、この本体ケースの前方側に装着した口腔内挿入部と、この口腔内挿入部に設けた鏡筒と、この鏡筒内に設けた複数のレンズと、前記鏡筒の前方側開口に、光学的に対応する前記口腔内挿入部部分に設けた撮像窓と、前記鏡筒の後方側開口に光学的に連結した撮像装置とを備え、前記撮像窓部分に、照明素子を配置するとともに、前記鏡筒を金属により構成したものであるので、撮像窓部分の温度上昇を抑制することができる。
【００１１】
すなわち、本発明においては、照明素子を撮像窓部分に配置したので、その光強度をあまり強くしなくとも十分に照明することができ、この結果として、撮像窓部分の温度上昇を抑制することができる。
【００１２】
また、この撮像窓部分まで延長された鏡筒が金属により構成した物であるので、撮像窓部分の熱を鏡筒の後方側開口へと放散させることができ、この結果としても、撮像窓部分の温度上昇を抑制することができる。
【図面の簡単な説明】
【００１３】
【図１】本発明の一実施形態の斜視図
【図２】その断面図
【図３】その分解斜視図
【図４】その鏡筒部分の断面図
【図５】その口腔内挿入部の下面図
【図６】その口腔内挿入部の分解斜視図
【図７】その口腔内挿入部の分解斜視図
【図８】その口腔内挿入部の分解上面図
【図９】その口腔内挿入部の分解上面図
【発明を実施するための形態】
【００１４】
以下、本発明の一実施形態を添付図面を用いて説明する。
【００１５】
図１において、１は、ほぼ円筒状の本体ケースで、この本体ケース１の後端側には電源および信号用のコード２が接続されている。また、この本体ケース１の前方側には、口腔内挿入部３が装着され、この口腔内挿入部３内には、図２、図３で示す鏡筒４が設けられている。この鏡筒４は、図３、図４に示すように、前方側開口４ａから後方側開口４ｂに向けて、その開口径が段階的に大きくなる構成とし、この鏡筒４内に図４で示すごとく、４群のレンズＧ１からＧ４が配置されている。
【００１６】
具体的には、鏡筒４の後方側開口４ｂから、まず、１群目のレンズ群Ｇ１を入れ、図４のごとく、鏡筒４の前方側開口４ａ部分まで押し込み、この部分でレンズ群Ｇ１の外周を鏡筒４の内面に当接させ、この状態で位置決めを行う。
【００１７】
続いて、鏡筒４の後方側開口４ｂから、スペーサ筒５をレンズ群Ｇ１まで押し込み、この状態で位置決めを行う。
【００１８】
次に、鏡筒４の後方側開口４ｂから、２群目、３群目のレンズ群Ｇ２、Ｇ３を入れ、図４のごとく、スペーサ筒５まで押し込み、この状態で位置決めを行う。
【００１９】
次に、鏡筒４の後方側開口４ｂから、スペーサ筒６をレンズ群Ｇ３まで押し込み、この状態で位置決めを行う。
【００２０】
次に、鏡筒４の後方側開口４ｂから、４群目のレンズ群Ｇ４を入れ、図４のごとく、スペーサ筒６まで押し込み、この状態で位置決めを行う。
【００２１】
次に、鏡筒４の後方側開口４ｂから、スペーサ筒７をレンズ群Ｇ４まで押し込み、この状態で位置決めを行う。
【００２２】
さて、前記鏡筒４の前方側開口４ａに、光学的に対応する前記口腔内挿入部３の下面部分には撮像窓３ａを設けており、この撮像窓３ａと鏡筒４の前方側開口４ａの間には、プリズム８が設けられている。
【００２３】
また、撮像窓３ａは、図５に示すごとく、四角形をしており、対向する前後辺には、それぞれ二つの照明素子９が配置されている。一方、前記鏡筒４の後方側開口４ｂには、図３で示す撮像装置１０が光学的に連結されている。
【００２４】
以上の構成において、口腔内の画像を取得する場合は、図１に示す口腔内挿入部３を口腔内に挿入し、その状態で、照明素子９により撮像部の照明を行う。この時、撮像窓３ａから得られる映像は、プリズム８、レンズ群Ｇ１、Ｇ２、Ｇ３、Ｇ４および、鏡筒４外に設けた図４に示す５群目、６群目のレンズ群Ｇ５、Ｇ６を介して、撮像装置１０へと送られ、その後、コード２を介して、モニタに映し出される。
【００２５】
そして、このモニタを見ながら希望する撮像部を見つけ出したときには、図１に示す撮像ボタン１１を押せば、その時の画像は静止画としてモニタ内のメモリに記録される。
【００２６】
さて、この状態において、本実施形態においては、照明素子９を撮像窓３ａに配置したので、つまり、撮像部分の近傍に照明素子９を配置したので、この照明素子９からの照明を大きくしなくても、十分にクリアな画像を取得することができる。
【００２７】
したがって、この撮像部分の温度を異常に高めることはない。
【００２８】
上述したように、本実施形態における照明素子９は、撮影時に十分な照度を得るために、撮像窓３ａの近傍に配置しており、さらには、照明素子９によって生じる熱を効率的に逃がすように構成されている。
【００２９】
以下、その構成と特徴点について説明する。
【００３０】
図６に、口腔内挿入部３の分解斜視図を示す。
【００３１】
図６に示すように、口腔内挿入部３の前方下方側には、撮像窓構成体１２が配置されており、この撮像窓構成体１２は、底面に、中央を略四角形に開口した撮像窓３ａが設けられており、この撮像窓３ａに対向する口腔内挿入部３内には、光導素子１３が配置されている。
【００３２】
この光導素子１３は、撮像窓３ａからの光情報を本体ケース１側に反射させる反射素子８と、この反射素子８の下面側において、この反射素子８を撮像窓３ａ内に装着可能にするカバー素子１４と、により構成されている。
【００３３】
このカバー素子１４の底面の水平方向の大きさは、撮像窓３ａの大きさよりも小さくし、反射素子８の底面の水平方向の大きさは、撮像窓３ａの大きさよりも大きな形状となっており、これによって、反射素子８を上にして、カバー素子１４を下にした状態で、上方より撮像窓３ａ内にカバー素子１４を嵌合することで、撮像窓構成体１２に光導素子１３を装着することができる。
【００３４】
次に、照明素子９の構成であるが、四つの照明素子９は、フレキシブル導電性基板９ａに装着されており、本体ケース１側と電気的に接続されている。このフレキシブル導電性基板９ａの先端側は、照明素子保持具１５に装着されており、この照明素子保持具１５は、口腔内挿入部３の前方開口部分に連結する連結部材１６によって口腔内挿入部３に装着されている。
【００３５】
この状態において、上述した光導素子１３が装着された撮像窓構成体１２は、下方より照明素子保持具１５の中央の開口部に嵌合して、照明素子９を挟み込むように口腔内挿入部３の前方開口に嵌合して装着されることになる。
【００３６】
次に、連結部材１６を鏡筒４にどのように接続するかについて、図７、図８、図９を用いて詳細に説明する。
【００３７】
図７に示すように、鏡筒連結部材１７は、連結部材１６と鏡筒４を接続する構成になっている。
【００３８】
図８に示すように、鏡筒連結部材１７は、円筒型の開口部１７ａの両端に板バネ状の付勢体１７ｂを設けた構成となっており、この付勢体１７ｂは、連結部材１６に設けられた２つの連結端１６ｂを内側から押し広げた状態で付勢しながら付勢体１７ｂの先端の爪が連結端１６ｂの先端の孔に嵌合して装着される。
【００３９】
次に、図９に示すように、鏡筒連結部材１７の円筒型の開口部１７ａに鏡筒４の先端４ａを嵌合して装着する。鏡筒連結部材１７の円筒型の開口部１７ａは、板金状の金属を円筒状に加工したものであり、挿入する鏡筒４の先端４ａの円筒の大きさよりも小さくなるように形成されているので、先端４ａを開口部１７ａに挿入した際には、開口部１７ａが先端４ａを覆うように付勢した状態となり、開口部１７ａの内側内面が、鏡筒４の先端４ａの外周面に対して、より密着するようになる。
【００４０】
このように、照明素子９を具備した照明素子保持具１５は、連結部材１６と、鏡筒連結部材１７によって、鏡筒４に面密着しながら接続することになり、照明素子９に発生した熱を鏡筒４に対して効率よく伝えることになり、この撮像窓３ａ部分の熱は鏡筒４の前方側開口４ａから後方側開口４ｂへと効果的に伝熱させることができ、この結果として、撮像窓３ａ部分の温度上昇を抑制することができる。
【００４１】
また、照明素子９を具備した照明素子保持具１５は、連結部材１６と、鏡筒連結部材１７は、鏡筒４に対して熱伝導を効果的に行うために、金属により構成されており、さらには、鏡筒４は、図３、図４に示すように、前方側開口４ａから後方側開口４ｂに向けて、その開口径が段階的に大きくなる構成となっているので、鏡筒４の前方側開口４ａに伝えられた熱は、より体積の大きな後方側開口４ｂに伝えられることとなり、熱を効果的に放熱するような構成となっているのである。
【００４２】
すなわち、照明素子９と鏡筒４とは、この鏡筒４の先端に装着した照明素子保持具１５は、連結部材１６と、鏡筒連結部材１７による熱伝導体を介して、熱伝導的に装着した構成となっており、この結果、撮像窓３ａ部分の温度上昇を抑制することができるのである。
【００４３】
また、本実施形態においては、この撮像窓３ａ部分の近傍に鏡筒４の前方側開口４ａが配置するとともに、この鏡筒４は、金属により構成している。このため、この撮像窓３ａ部分の熱は鏡筒４の前方側開口４ａから後方側開口４ｂへと効果的に伝熱させることができ、この結果としても、撮像窓３ａ部分の温度上昇を抑制することができる。
【００４４】
つまり、この撮影時において、撮像窓３ａ部分が口腔内の皮膚や歯に当接しても異常な高温を感じさせることはなく、快適な撮影作業が実行できることとなる。
【００４５】
また、鏡筒４を金属で形成すれば、その加工精度を高めることができるので、レンズ群Ｇ１からＧ４までを、この鏡筒４内の所定場所に適切に配置することができる。
【００４６】
さらに、このような、レンズ群Ｇ１からＧ４までの適切配置を行うために、スペーサ筒５、６、７も加工精度が出しやすい金属製としている。ただし、これらのスペーサ筒５、６、７は、少なくとも、その内面側には黒色系被膜を設けることで、光の不要な反射を防止するようにしている。
【産業上の利用可能性】
【００４７】
以上のように本発明は、本体ケースと、この本体ケースの前方側に装着した口腔内挿入部と、この口腔内挿入部に設けた鏡筒と、この鏡筒内に設けた複数のレンズと、前記鏡筒の前方側開口に、光学的に対応する前記口腔内挿入部部分に設けた撮像窓と、前記鏡筒の後方側開口に光学的に連結した撮像装置とを備え、前記撮像窓部分に、照明素子を配置するとともに、前記鏡筒を金属により構成したものであるので、撮像窓部分の温度上昇を抑制することができる。
【００４８】
すなわち、本発明においては、照明素子を撮像窓部分に配置したので、その光強度をあまり強くしなくとも十分に照明することができ、この結果として、撮像窓部分の温度上昇を抑制することができる。
【００４９】
また、この撮像窓部分まで延長された鏡筒が金属により構成した物であるので、撮像窓部分の熱を鏡筒の後方側開口へと放散させることができ、この結果としても、撮像窓部分の温度上昇を抑制することができる。
【００５０】
したがって、口腔内カメラとして、広く活用が期待されるものである。
【符号の説明】
【００５１】
１  本体ケース
２  コード
３  口腔内挿入部
３ａ  撮像窓
４  鏡筒
４ａ前方側開口
４ｂ  後方側開口
５  スペーサ筒
６  スペーサ筒
７  スペーサ筒
８  プリズム
９  照明素子
１０  撮像装置
１１  撮像ボタン
１２  撮像窓構成体
１３  光導素子
１４  カバー素子
１５  照明素子保持具
１６  連結部材
１６ｂ  連結端
１７  鏡筒連結部材
１７ａ  開口部
１７ｂ  付勢体
Ｇ１  レンズ群
Ｇ２  レンズ群
Ｇ３  レンズ群
Ｇ４  レンズ群
【図１】
2011067605.tif 000003
【図２】
2011067605.tif 000004
【図３】
2011067605.tif 000005
【図４】
2011067605.tif 000006
【図５】
2011067605.tif 000007
【図６】
2011067605.tif 000008
【図７】
2011067605.tif 000009
【図８】
2011067605.tif 000010
【図９】
2011067605.tif 000011